(57)【要約】  開示される態様は、観測到着時間差（ＯＴＤＯＡ）測定セッション中の電力使用を節約することに関する。例えば、サーバまたは他のネットワークエンティティは、ユーザ機器（ＵＥ）に関連付けられた間欠受信（ＤＲｘ）または接続モードＤＲｘ（ＣＤＲｘ）構成に関する情報を受信し、ＵＥに、ＤＲｘ／ＣＤＲｘ構成に関連付けられたＯＦＦ状態と一致する測位基準信号（ＰＲＳ）機会を有する１つまたは複数の基地局に関する情報を提供する。代替および／または追加として、ＵＥは、ある特定のＰＲＳ機会がいつ発生するかを示すＯＴＤＯＡ支援情報を受信し得、サービング基地局または他のネットワークエンティティが、ＰＲＳ機会と一致するＯＦＦ状態を有するＤＲｘ／ＣＤＲｘ構成をＵＥに提供し得る。したがって、ＤＲｘ／ＣＤＲｘパラメータは、測定ギャップを大幅に低減または除去し、ＯＴＤＯＡセッション中の電力使用を節約するために活用され得る。【選択図】図５
2021522714.tif 000002
【特許請求の範囲】
【請求項１】
観測到着時間差（ＯＴＤＯＡ）測定セッション中に電力を節約するために間欠受信（ＤＲｘ）パラメータを活用するための方法であって、
ネットワークサーバにおいて、ユーザ機器（ＵＥ）に関連付けられたＤＲｘ構成に関する情報を受信することと、
前記ネットワークサーバにおいて、前記ＵＥに関連付けられた前記ＤＲｘ構成のＯＦＦ持続時間と一致するインター周波数測位基準信号（ＰＲＳ）機会を有する１つまたは複数のインター周波数基地局を選択することと、
前記ネットワークサーバによって、前記ＵＥに、前記ＵＥに関連付けられた前記ＤＲｘ構成の前記ＯＦＦ持続時間と一致する前記インター周波数ＰＲＳ機会に関する情報を含むＯＴＤＯＡ支援データを送信することと、
を備える方法。
【請求項２】
前記ネットワークサーバは、前記ＵＥから、前記ＵＥに関連付けられた前記ＤＲｘ構成に関する前記情報を受信する、請求項１に記載の方法。
【請求項３】
前記ネットワークサーバは、前記ＵＥにサービス提供する基地局またはモビリティ管理エンティティ（ＭＭＥ）のうちの１つまたは複数から、前記ＵＥに関連付けられた前記ＤＲｘ構成に関する前記情報を受信する、請求項１に記載の方法。
【請求項４】
前記ＤＲｘ構成は、接続モードＤＲｘ（ＣＤＲｘ）構成を備える、請求項１に記載の方法。
【請求項５】
前記ＤＲｘ構成は、前記ＵＥにサービス提供する基地局において構成された１つまたは複数のセル固有パラメータを含む、請求項１に記載の方法。
【請求項６】
前記ＤＲｘ構成は、前記ＵＥにサービス提供するモビリティ管理エンティティ（ＭＭＥ）において構成された１つまたは複数のＵＥ固有パラメータを含む、請求項１に記載の方法。
【請求項７】
前記１つまたは複数のインター周波数基地局は、前記ＵＥに関連付けられた前記ＤＲｘ構成の前記ＯＦＦ持続時間と少なくとも部分的に一致するインター周波数ＰＲＳ機会を有する複数の基地局を含む、請求項１に記載の方法。
【請求項８】
前記インター周波数ＰＲＳ機会が、前記ＵＥに関連付けられた前記ＤＲｘ構成の前記ＯＦＦ持続時間と揃う程度に少なくとも部分的に基づく優先度に従って、前記複数の基地局を順序付けるリストを生成すること、ここにおいて、前記ＵＥに送信される前記ＯＴＤＯＡ支援データは、前記生成されたリストを含む、
をさらに備える、請求項７に記載の方法。
【請求項９】
装置であって、
ユーザ機器（ＵＥ）に関連付けられた間欠受信（ＤＲｘ）構成に関する情報を受信するように構成された受信機と、
前記ＵＥに関連付けられた前記ＤＲｘ構成のＯＦＦ持続時間と一致するインター周波数測位基準信号（ＰＲＳ）機会を有する１つまたは複数のインター周波数基地局を選択するように構成された少なくとも１つのプロセッサと、
前記ＵＥに、前記ＵＥに関連付けられた前記ＤＲｘ構成の前記ＯＦＦ持続時間と一致する前記インター周波数ＰＲＳ機会に関する情報を含む観測到着時間差（ＯＴＤＯＡ）支援データを送信するように構成された送信機と、
を備える装置。
【請求項１０】
前記ＵＥに関連付けられた前記ＤＲｘ構成に関する前記情報は、前記ＵＥから受信される、請求項９に記載の装置。
【請求項１１】
前記ＵＥに関連付けられた前記ＤＲｘ構成に関する前記情報は、前記ＵＥにサービス提供する基地局またはモビリティ管理エンティティ（ＭＭＥ）のうちの１つまたは複数から受信される、請求項９に記載の装置。
【請求項１２】
前記ＤＲｘ構成は、接続モードＤＲｘ（ＣＤＲｘ）構成を備える、請求項９に記載の装置。
【請求項１３】
前記ＤＲｘ構成は、前記ＵＥにサービス提供する基地局において構成された１つまたは複数のセル固有パラメータを含む、請求項９に記載の装置。
【請求項１４】
前記ＤＲｘ構成は、前記ＵＥにサービス提供するモビリティ管理エンティティ（ＭＭＥ）において構成された１つまたは複数のＵＥ固有パラメータを含む、請求項９に記載の装置。
【請求項１５】
前記１つまたは複数のインター周波数基地局は、前記ＵＥに関連付けられた前記ＤＲｘ構成の前記ＯＦＦ持続時間と少なくとも部分的に一致するインター周波数ＰＲＳ機会を有する複数の基地局を含む、請求項９に記載の装置。
【請求項１６】
前記少なくとも１つのプロセッサは、前記インター周波数ＰＲＳ機会が、前記ＵＥに関連付けられた前記ＤＲｘ構成の前記ＯＦＦ持続時間と揃う程度に少なくとも部分的に基づく優先度に従って、前記複数の基地局が順序付けられたリストを生成するようにさらに構成され、ここにおいて、前記ＵＥに送信される前記ＯＴＤＯＡ支援データは、前記生成されたリストを含む、請求項１５に記載の装置。
【請求項１７】
観測到着時間差（ＯＴＤＯＡ）測定セッション中に電力を節約するために間欠受信（ＤＲｘ）パラメータを活用するための方法であって、
ユーザ機器（ＵＥ）にサービス提供するネットワークデバイスにおいて、前記ＵＥに提供されるＯＴＤＯＡ支援データに関する情報を受信することと、ここにおいて、前記ＵＥに提供される前記ＯＴＤＯＡ支援データに関する前記情報は、１つまたは複数のインター周波数測位基準信号（ＰＲＳ）機会に関連付けられたタイミングを含み、
前記ネットワークデバイスにおいて、ＯＦＦ持続時間が、前記ＯＴＤＯＡ支援データにおいて示される前記１つまたは複数のインター周波数ＰＲＳ機会に関連付けられた前記タイミングと少なくとも部分的に一致する、ＤＲｘ構成を選択することと、
前記ネットワークデバイスによって、前記１つまたは複数のインター周波数ＰＲＳ機会が、前記ＤＲｘ構成の前記ＯＦＦ持続時間中に測定されるように、前記ＵＥに、前記選択されたＤＲｘ構成に関する１つまたは複数のパラメータを送信することと、
を備える方法。
【請求項１８】
前記ネットワークデバイスは、前記ＵＥから前記ＯＴＤＯＡ支援データに関係する前記情報を受信する、請求項１７に記載の方法。
【請求項１９】
前記ネットワークデバイスは、前記ＵＥに前記ＯＴＤＯＡ支援データを提供したロケーションサーバ（ＬＳ）またはポジション決定エンティティ（ＰＤＥ）のうちの１つまたは複数から、前記ＯＴＤＯＡ支援データに関係する前記情報を受信する、請求項１７に記載の方法。
【請求項２０】
前記選択されたＤＲｘ構成は、接続モードＤＲｘ（ＣＤＲｘ）構成を備える、請求項１７に記載の方法。
【請求項２１】
前記ネットワークデバイスは、前記ＵＥにサービス提供する基地局であり、前記選択されたＤＲｘ構成に関する前記１つまたは複数のパラメータは、前記基地局によってサービス提供される全てのＵＥにブロードキャストされるセル固有パラメータである、請求項１７に記載の方法。
【請求項２２】
前記ネットワークデバイスは、前記ＵＥにサービス提供するモビリティ管理エンティティ（ＭＭＥ）であり、前記選択されたＤＲｘ構成に関する前記１つまたは複数のパラメータは、非アクセス層（ＮＡＳ）シグナリングを介して前記ＵＥに提供されるＵＥ固有パラメータである、請求項１７に記載の方法。
【請求項２３】
前記ＤＲｘ構成は、前記１つまたは複数のインター周波数ＰＲＳ機会が前記ＤＲｘ構成の前記ＯＦＦ持続時間と揃う程度を最大化するように選択される、請求項１７に記載の方法。
【請求項２４】
装置であって、
前記装置によってサービス提供されるユーザ機器（ＵＥ）に提供される観測到着時間差（ＯＴＤＯＡ）支援データに関する情報を受信するように構成された受信機と、ここにおいて、前記ＵＥに提供される前記ＯＴＤＯＡ支援データに関する前記情報は、１つまたは複数のインター周波数測位基準信号（ＰＲＳ）機会に関連付けられたタイミングを含み、
ＯＦＦ持続時間が、前記ＯＴＤＯＡ支援データにおいて示される前記１つまたは複数のインター周波数ＰＲＳ機会に関連付けられた前記タイミングと少なくとも部分的に一致する、間欠受信（ＤＲｘ）構成を選択するように構成された少なくとも１つのプロセッサと、
前記ＵＥが、前記ＤＲｘ構成の前記ＯＦＦ持続時間中に前記１つまたは複数のインター周波数ＰＲＳ機会を測定するように構成されるように、前記ＵＥに、前記選択されたＤＲｘ構成に関する１つまたは複数のパラメータを送信するように構成された送信機と、
を備える装置。
【請求項２５】
前記ＯＴＤＯＡ支援データに関する前記情報は、前記ＵＥから受信される、請求項２４に記載の装置。
【請求項２６】
前記ＯＴＤＯＡ支援データに関する前記情報は、前記ＵＥに前記ＯＴＤＯＡ支援データを提供したロケーションサーバ（ＬＳ）またはポジション決定エンティティ（ＰＤＥ）のうちの１つまたは複数から受信される、請求項２４に記載の装置。
【請求項２７】
前記選択されたＤＲｘ構成は、接続モードＤＲｘ（ＣＤＲｘ）構成を備える、請求項２４に記載の装置。
【請求項２８】
前記選択されたＤＲｘ構成に関する前記１つまたは複数のパラメータは、前記装置によってサービス提供される全てのＵＥにブロードキャストされるセル固有パラメータである、請求項２４に記載の装置。
【請求項２９】
前記選択されたＤＲｘ構成に関する前記１つまたは複数のパラメータは、非アクセス層（ＮＡＳ）シグナリングを介して前記ＵＥに送信されるＵＥ固有パラメータである、請求項２４に記載の装置。
【請求項３０】
前記少なくとも１つのプロセッサは、前記１つまたは複数のインター周波数ＰＲＳ機会が前記ＤＲｘ構成の前記ＯＦＦ持続時間と揃う程度を最大化する前記ＤＲｘ構成を選択するように構成される、請求項２４に記載の装置。
【発明の詳細な説明】
【米国特許法第１１９条に基づく優先権の主張】
【０００１】
[0001]本特許出願は、本譲受人に譲渡され、参照により本明細書に明確に組み込まれている、２０１８年４月２３日に出願された「EXPLOITING DRX/CDRX PARAMETERS TO CONSERVE POWER DURING AN OBSERVED TIME DIFFERENCE OF ARRIVAL (OTDOA) SESSION」と題する非仮特許出願第１５／９６０，５３１号の優先権を主張する。
【技術分野】
【０００２】
[0002]本明細書で説明される様々な態様および実施形態は、一般にワイヤレス測位システムに関し、特に、観測到着時間差（ＯＴＤＯＡ：Observed Time Differece of Arrival）測定セッション中の電力使用を節約することに関する。
【背景技術】
【０００３】
[0003]様々な理由から、端末、モバイル局、またはセルラフォンもしくはモノのインターネット（ＩｏＴ）デバイスなどの他のユーザ機器（ＵＥ）のポジションまたはロケーションを知ることが望まれ得る。例えば、ロケーションサービス（ＬＣＳ）クライアントは、緊急サービス呼をサポートするために、またはナビゲーション支援、方向探知、資産トラッキング、スマートメータリングなどのような、何らかの他のロケーションベースのまたはロケーション依存のサービスを提供するために、ＵＥのポジションまたはロケーションを知ることを望み得る。一般に、ＵＥに関連付けられたポジションまたはロケーションは、様々なシステムから収集された情報に基づいて推定され得る。このようなシステムの１つが、全地球測位システム（ＧＰＳ）を含み得、これは、地球を周回する様々な宇宙ビークル（ＳＶ）を典型的に含む全地球航法衛星システム（ＧＮＳＳ）または衛星測位システム（ＳＰＳ）の一例である。ＵＥのポジションまたはロケーションを推定するために使用され得る別の例となるシステムが、様々なＵＥのための通信をサポートするための空中（aerial）基地局および／または地上基地局を有するセルラ通信システムである。
【０００４】
[0004]代替的にポジション「フィックス（fix）」とも呼ばれ得る、特定のＵＥについてのポジション推定値が、ＵＥから１つまたは複数の送信機までの距離またはレンジに少なくとも部分的に基づいて、また、１つまたは複数の送信機の既知のロケーションに少なくとも部分的に基づいて取得され得る。送信機までのレンジは、送信機によって送信され、ＵＥにおいて受信される信号に基づいて推定され得る。送信機のロケーションは、少なくともいくつかのケースでは、送信機の識別情報に基づいて確認され得、送信機の識別情報は、送信機から受信される信号から確認され得る。一般に、送信機は、観測到着時間差（ＯＴＤＯＡ）測位技法が使用され得るセルラ通信システムのケースでは地上基地局を備え、および／または、ＳＰＳのケースではＳＶを備え得る。
【０００５】
[0005]例えば、ＯＴＤＯＡベースの測位では、ＵＥは、既知のポジションを有する複数の基地局からの受信された信号における時間差を測定し得る。したがって、複数の基地局から受信された信号における観測された時間差は、ＵＥのロケーションを計算するために使用され得る。ロケーション決定にさらに役立てるために、ｅノードＢ（ｅＮＢ）などの基地局（ＢＳ）が、ＯＴＤＯＡ測位パフォーマンスを改善するために、測位基準信号（ＰＲＳ：Positioning Reference Signal）を送信し得る。基準セル（例えば、サービングセル）および１つまたは複数のネイバーセルからのＰＲＳの測定された到着時間差は、基準信号時間差（ＲＳＴＤ：Reference Signal Time Difference）として知られている。次いで、ＵＥに関連付けられたポジションが、基準セルおよびネイバーセルについての（１つまたは複数の）物理送信アンテナの（１つまたは複数の）既知のポジションと、各セルの絶対または相対送信タイミングと、ＲＳＴＤ測定値とを使用して計算され得る。したがって、ＯＴＤＯＡ測位技法は、多くの使用ケースにおいて、特に、ＧＮＳＳ信号が利用不可能である厳しい環境条件（例えば、屋内、立体駐車場内、トンネルなど）において適用され得る、実現可能な代替の測位方法である。
【０００６】
[0006]実際に、米国におけるいくつかのキャリアは、１つの周波数上で複数のｅＮＢが分離されているが、他の周波数上でより多くのｅＮＢが存在するロケーションをカバーするために、インター周波数（ＩＦ）ＯＴＤＯＡを義務付けている。それにもかかわらず、ＯＤＯＡベースの測位技法は、ある特定の課題（challenges）を提示する。例えば、基準セルおよびネイバーセルからのＰＲＳを測定することを可能にするために、ＵＥは、ロケーションサーバ（ＬＳ）またはポジション決定エンティティ（ＰＤＥ：Position Determining Entity）と呼ばれ得るＯＴＤＯＡシステムサーバに支援データ要求を送り得る。次いで、サーバは、ＵＥにセル情報（例えば、セル構成およびタイミング情報）を送ることになる。サーバはまた、ＵＥが情報を積極的に要求することなく、セル情報をＵＥに「プッシュ（push）」し得る。生成された支援データによってＵＥに提供されるセル情報は、ＵＥがＰＲＳ（測位基準信号：Positionig Reference Signals）をサーチするのに役立つ。しかしながら、限られたハードウェア能力を有するＵＥ（例えば、単一の無線周波数（ＲＦ）チェーン、低い処理能力、低メモリなどを有するデバイス）では、ＵＥは、かなりの期間、時には何年もの間、バッテリ電力で生き延びる必要があり得るので、電力最適化は、焦点となる分野である。電力消費を最適化する１つの方法が、第３世代パートナーシッププロジェクト（３ＧＰＰ（登録商標））から入手可能な様々な公開技術仕様書に説明されているような、間欠受信（ＤＲｘ：Discontinuous Reception）または接続モードＤＲｘ（ＣＤＲｘ：Connected Mode DRx）サイクルを使用することである。したがって、ＩＦ−ＯＴＤＯＡ測定を実行するために使用されるＩＦ−ＰＲＳ信号が、ＤＲｘ／ＣＤＲｘ  ＯＮ持続時間と衝突するとき、ＵＥは、（例えば、ＵＥは、ＤＲｘ／ＣＤＲｘ  ＯＮ状態の間、ダウンリンクチャネルを監視する必要があり、したがって、ＩＦ−ＰＲＳ信号を受信できないので）ＩＦ−ＯＴＤＯＡ測定を実行するために、アップリンクまたはダウンリンク送信がスケジュールされない時間期間を定義するために、測定ギャップを必要とし得る。
【０００７】
[0007]したがって、他の問題の中でも、測定ギャップは、ＵＥがポジションフィックス（position fix）を得ることが可能になるまでの時間（time before）を延長し得、および／または、ＵＥ内の時間／リソース制約が、受信され得および従ってＯＴＤＯＡ測位のために使用され得るＰＲＳ信号の数を制限するので、フィックス（fix）の精度を制限し得る。さらに、（例えば、ｅＮＢにおける）ネットワークノードが、典型的に、ＵＥのためのギャップパターンを構成し、これは、特に、ＯＴＤＯＡ測位を使用することが企図されるＩｏＴデバイスおよび他のＵＥが、かなりの数で展開されることが予期されるので、ｅＮＢ／ネットワークに対する多大な負担となり得る。さらに、測定ギャップは、アップリンク送信またはダウンリンク送信がスケジュールされない時間期間を定義するので、測定ギャップは、過少利用につながり得、および／または、ネットワークスループットを潜在的に制限し得る。したがって、電力消費を低減することもできる改善されたＯＴＤＯＡ測位方法が望まれる。
【発明の概要】
【０００８】
[0008]以下は、本明細書で開示される１つまたは複数の態様および／または実施形態に関する簡略化された概要を提示する。したがって、以下の概要は、全ての企図される態様および／または実施形態に関する広範な概観であると考えられるべきではなく、また、以下の概要は、全ての企図される態様および／または実施形態に関する主要または重要な要素を識別するようにも、または任意の特定の態様および／または実施形態に関連付けられた範囲を定めるようにも、見なされるべきでない。したがって、以下の概要は、以下で提示される詳細な説明に先立って、簡略化された形で、本明細書で開示されるメカニズムに関する１つまたは複数の態様および／または実施形態に関するある特定の概念を提示することを唯一の目的とする。
【０００９】
[0009]本明細書で開示される様々な態様および実施形態は、観測到着時間差（ＯＴＤＯＡ）測定セッション中に電力使用を節約することに関する。例えば、サーバまたは他のネットワークエンティティは、ユーザ機器（ＵＥ）に関連付けられた間欠受信（ＤＲｘ）または接続モードＤＲｘ（ＣＤＲｘ）構成に関する情報を受信し、ＵＥに、ＤＲｘ／ＣＤＲｘ構成に関連付けられたＯＦＦ状態と一致する（coincide）測位基準信号（ＰＲＳ）機会を有する１つまたは複数の基地局に関する情報を提供し得る。代替および／または追加として、ＵＥは、ある特定のＰＲＳ機会がいつ発生するかを示すＯＴＤＯＡ支援情報を受信し得、サービング基地局または他のネットワークエンティティが、ＰＲＳ機会と一致するＯＦＦ状態を有するＤＲｘ／ＣＤＲｘ構成をＵＥに提供し得る。したがって、ＤＲｘ／ＣＤＲｘパラメータは、測定ギャップを大幅に低減または除去し、ＯＴＤＯＡセッション中の電力使用を節約するために活用され得る。
【００１０】
[0010]様々な態様によれば、観測到着時間差（ＯＴＤＯＡ）測定セッション中に電力を節約するために、間欠受信（ＤＲｘ）パラメータを活用するための方法は、ネットワークサーバにおいて、ユーザ機器（ＵＥ）に関連付けられたＤＲｘ構成に関する情報を受信することと、ネットワークサーバにおいて、ＵＥに関連付けられたＤＲｘ構成のＯＦＦ持続時間と一致するインター周波数測位基準信号（ＰＲＳ）機会を有する１つまたは複数のインター周波数基地局を選択することと、ネットワークサーバによって、ＵＥにＯＴＤＯＡ支援データを送信することと、を備え得、ここにおいて、送信されたＯＴＤＯＡ支援データは、ＵＥに関連付けられたＤＲｘ構成のＯＦＦ持続時間と一致するインター周波数ＰＲＳ機会に関する情報を含み得る。
【００１１】
[0011]様々な態様によれば、装置は、ユーザ機器（ＵＥ）に関連付けられた間欠受信（ＤＲｘ）構成に関する情報を受信するように構成された受信機と、ＵＥに関連付けられたＤＲｘ構成のＯＦＦ持続時間と一致するインター周波数測位基準信号（ＰＲＳ）機会を有する１つまたは複数のインター周波数基地局を選択するように構成された少なくとも１つのプロセッサと、ＵＥに、ＵＥに関連付けられたＤＲｘ構成のＯＦＦ持続時間と一致するインター周波数ＰＲＳ機会に関する情報を含み得る観測到着時間差（ＯＴＤＯＡ）支援データを送信するように構成された送信機と、を備え得る。
【００１２】
[0012]様々な態様によれば、観測到着時間差（ＯＴＤＯＡ）測定セッション中に電力を節約するために、間欠受信（ＤＲｘ）パラメータを活用するための別の方法は、ユーザ機器（ＵＥ）にサービス提供するネットワークデバイスにおいて、ＵＥに提供されるＯＴＤＯＡ支援データに関する情報を受信することと、ここにおいて、ＵＥに提供されるＯＴＤＯＡ支援データに関する情報は、１つまたは複数のインター周波数測位基準信号（ＰＲＳ）機会に関連付けられたタイミングを含み得、ネットワークデバイスにおいて、ＯＦＦ持続時間が、ＯＴＤＯＡ支援データにおいて示される１つまたは複数のインター周波数ＰＲＳ機会に関連付けられたタイミングと少なくとも部分的に一致する、ＤＲｘ構成を選択することと、ネットワークデバイスによって、１つまたは複数のインター周波数ＰＲＳ機会が、ＤＲｘ構成のＯＦＦ持続時間中に測定されるように、ＵＥに、選択されたＤＲｘ構成に関する１つまたは複数のパラメータを送信することと、を備え得る。
【００１３】
[0013]様々な態様によれば、装置は、装置によってサービス提供されるユーザ機器（ＵＥ）に提供される観測到着時間差（ＯＴＤＯＡ）支援データに関する情報を受信するように構成された受信機と、ここにおいて、ＵＥに提供されるＯＴＤＯＡ支援データに関する情報は、１つまたは複数のインター周波数測位基準信号（ＰＲＳ）機会に関連付けられたタイミングを含み得、ＯＦＦ持続時間が、ＯＴＤＯＡ支援データにおいて示される１つまたは複数のインター周波数ＰＲＳ機会に関連付けられたタイミングと少なくとも部分的に一致する、間欠受信（ＤＲｘ）構成を選択するように構成された少なくとも１つのプロセッサと、ＵＥが、ＤＲｘ構成のＯＦＦ持続時間中に１つまたは複数のインター周波数ＰＲＳ機会を測定するように構成されるように、ＵＥに、選択されたＤＲｘ構成に関する１つまたは複数のパラメータを送信するように構成された送信機と、を備え得る。
【００１４】
[0014]本明細書で開示される態様および実施形態に関連付けられた他の目的および利点が、添付の図面および詳細な説明に基づいて、当業者には明らかであろう。
【００１５】
[0015]本明細書で説明される様々な態様および実施形態ならびにそれに付随する利点の多くについてのより完全な理解が、限定ではなく例示のためだけに提示される添付の図面に関連して考慮されるとき、以下の詳細な説明を参照することによって同内容がより良く理解されるようになるので、容易に得られるであろう。
【図面の簡単な説明】
【００１６】
【図１】[0016]図１は、様々な態様による、ロケーションサービスがユーザ機器（ＵＥ）に提供され得る例示的なシステムを例示する。
【図２】[0017]図２は、様々な態様による、ＵＥにロケーションサービスを提供し得るシステムにおける例示的なエンティティを示す簡略化されたブロック図を例示する。
【図３】[0018]図３は、様々な態様による、観測到着時間差（ＯＴＤＯＡ）測位技法における使用に好適であり得る例示的な測位基準信号（ＰＲＳ）送信スケジュールを例示する。
【図４】[0019]図４は、様々な態様による、システムフレーム番号（ＳＦＮ）と、セル固有サブフレームオフセットと、ＰＲＳ周期性との間の関係を示す例示的なＰＲＳサブフレーム構成を例示する。
【図５】[0020]図５は、様々な態様による、間欠受信（ＤＲｘ）／接続モードＤＲｘ（ＣＤＲｘ）サイクルが、インター周波数ＰＲＳ機会と一致するＯＦＦ持続時間を有する例示的なタイムラインを例示する。
【図６】[0021]図６は、様々な態様による、ロケーションサーバ（ＬＳ）またはポジション決定エンティティ（ＰＤＥ）が、ユーザ機器（ＵＥ）において使用中のＤＲｘ／ＣＤＲｘ  ＯＦＦ持続時間と一致するＰＲＳ機会を有する１つまたは複数のインター周波数ｅノードＢ（ｅＮＢ）を選択するために実行し得る、例示的な方法を例示する。
【図７】[0022]図７は、様々な態様による、ＵＥが、ＤＲｘ／ＣＤＲｘ  ＯＦＦ状態の間に受信されたＰＲＳ機会に基づいて、インター周波数観測到着時間差（ＯＴＤＯＡ）測定値を取得するために実行し得る、例示的な方法を例示する。
【図８】[0023]図８は、本明細書で説明される様々な態様および実施形態に従って構成され得るワイヤレス通信ノードに関連付けられた例示的な構成要素を示す簡略化されたブロック図を例示する。
【詳細な説明】
【００１７】
[0024]様々な態様および実施形態が、例示的な態様および実施形態に関する具体的な例を示すために、以下の説明および関連する図面において開示される。代替の態様および実施形態が、本開示を読めば当業者には明らかであり、本開示の範囲または趣旨から逸脱することなく構築および実施され得る。加えて、周知の要素は、本明細書で開示される態様および実施形態の関連する詳細を不明瞭にしないように、詳細には説明されないか、または省略され得る。
【００１８】
[0025]「例示的（exemplary）」という用語は、本明細書で、「例、事例、または例示を提供する」という意味で使用される。本明細書で「例示的」と説明される任意の実施形態は、必ずしも他の実施形態よりも好ましいまたは有利であると解釈されるべきでない。同様に、「実施形態」という用語は、全ての実施形態が、説明された特徴、利点、または動作モードを含むことを必要としない。
【００１９】
[0026]本明細書で使用される用語は、特定の実施形態のみを説明し、本明細書で開示される任意の実施形態を限定するようには解釈されるべきでない。本明細書で使用される場合、単数形「ａ」、「ａｎ」、および「ｔｈｅ」は、文脈がそうでないことを明確に示していない限り、複数形も含むように意図される。当業者であれば、本明細書で使用される場合、「備える（comprises）」、「備える（comprising）」、「含む（includes）」、および／または「含む（including）」という用語は、記載される特徴、整数、ステップ、動作、要素、および／または構成要素の存在を規定するが、１つまたは複数の他の特徴、整数、ステップ、動作、要素、構成要素、および／またはそのグループの存在または追加を除外しないことをさらに理解するであろう。
【００２０】
[0027]さらに、様々な態様および／または実施形態が、例えば、コンピューティングデバイスの要素によって、実行されることになるアクションのシーケンスの観点から説明され得る。当業者であれば、本明細書で説明される様々なアクションが、特定の回路（例えば、特定用途向け集積回路（ＡＳＩＣ））によって、１つまたは複数のプロセッサによって実行されているプログラム命令によって、または両方の組合せによって実行され得ることを認識するであろう。加えて、本明細書で説明されるこれらのアクションのシーケンスは、実行時に、関連付けられたプロセッサに本明細書で説明される機能を実行させることになるコンピュータ命令の対応するセットを記憶した任意の形態の非一時的なコンピュータ可読媒体内で、完全に具現化されるものであると考えられ得る。したがって、本明細書で説明される様々な態様は、いくつかの異なる形態で具現化され得、それらの全てが、本願請求項に記載の主題の範囲内にあるように企図されている。加えて、本明細書で説明される態様の各々について、任意のそのような態様の対応する形態が、例えば、説明されるアクションを実行する「ように構成されたロジック」および／または説明されるアクションを実行するように構成された他の構造的な構成要素として、本明細書では説明され得る。
【００２１】
[0028]本明細書で使用される場合、「ユーザ機器」（または「ＵＥ」）、「ユーザデバイス」、「ユーザ端末」、「クライアントデバイス」、「通信デバイス」、「ワイヤレスデバイス」、「ワイヤレス通信デバイス」、「ハンドヘルドデバイス」、「モバイルデバイス」、「モバイル端末」、「モバイル局」、「ハンドセット」、「アクセス端末」、「加入者デバイス」、「加入者端末」、「加入者局」、「端末」という用語、およびそれらの変形は、ワイヤレス通信および／またはナビゲーション信号を受信し得る任意の好適なモバイルまたは固定式デバイスを交換可能に指し得る。これらの用語はまた、衛星信号受信、支援データ受信、および／またはポジション関連処理が、そのデバイスにおいて行われるか、または他のデバイスにおいて行われるかにかかわらず、短距離ワイヤレス、赤外線、ワイヤライン接続、または他の接続などによって、ワイヤレス通信および／またはナビゲーション信号を受信し得る別のデバイスと通信するデバイスを含むように意図される。加えて、これらの用語は、衛星信号受信、支援データ受信、および／またはポジション関連処理が、デバイスにおいて行われるか、サーバにおいて行われるか、またはネットワークに関連付けられた別のデバイスにおいて行われるかにかかわらず、インターネット、ワイヤレスローカルエリアネットワーク（ＷＬＡＮ）、セルラワイヤレスネットワークなどを介して、サーバと通信し得る、ワイヤレスおよびワイヤライン通信デバイスを含む全てのデバイスを含むように意図される。上記の任意の動作可能な組合せもまた、「ユーザ機器」と見なされる。
【００２２】
[0029]様々な態様によれば、図１は、ロケーションサービスがユーザ機器（ＵＥ）１２０に提供され得る例示的なシステム１００を例示する。例えば、本明細書でさらに詳細に説明されるように、図１に示されるシステム１００は、ロングタームエボリューション（ＬＴＥ（登録商標））測位プロトコル（ＬＰＰ）またはＬＰＰ拡張（ＬＰＰｅ）メッセージなどのメッセージを使用して、ＵＥ１２０にロケーション情報またはロケーション支援データを転送するように構成されたサーバ１５０を含み得、ここにおいて、ロケーション情報またはロケーション支援データは、観測到着時間差（ＯＴＤＯＡ）測位技法における使用に好適であり得る。様々な実施形態では、当業者であれば、サーバ１５０は、ロケーションサーバ（ＬＳ）、ポジション決定エンティティ（ＰＤＥ：Position Determinig Entity）、および／または別の好適なネットワークエンティティの形態をとり得ること理解するであろう。ロケーション情報および／またはロケーション支援データ（例えば、ＯＴＤＯＡ支援データ）の転送は、ＵＥ１２０とサーバ１５０との両方に適切なレートで行われ得る。ＬＰＰは周知であり、第３世代パートナーシッププロジェクト（３ＧＰＰ）からの様々な公的に入手可能な技術仕様書において説明されている。ＬＰＰｅは、オープンモバイルアライアンス（ＯＭＡ）によって定義されており、各組み合わされたＬＰＰ／ＬＰＰｅメッセージが、埋め込まれたＬＰＰｅメッセージを備えるＬＰＰメッセージになるように、ＬＰＰと組み合わせて使用され得る。
【００２３】
[0030]簡略化のために、１つのＵＥ１２０および１つのサーバ１５０のみが図１に示される。しかしながら、一般に、システム１００は、１４５−ｋ（０≦ｋ≦Ｎｃｅｌｌ、ここで、Ｎｃｅｌｌｓは、セルの数である）によって示される複数のセルとともに、追加のネットワーク１３０、ＬＣＳクライアント１６０、ＵＥ１２０、サーバ１５０、（基地局）アンテナ１４０、および宇宙ビークル（ＳＶ：Space Vehicles）１８０を備え得る。システム１００は、本明細書で開示される態様および実施形態と一致する、セル１４５−２などの１つまたは複数のフェムトセルと共に、セル１４５−１、１４５−３、および１４５−４などのマクロセルを含む、セルの混合をさらに備え得る。
【００２４】
[0031]様々な実施形態では、ＵＥ１２０は、限定はしないが、ＯＭＡによって定義されたセキュアユーザプレーンロケーション（ＳＵＰＬ）ロケーションソリューションと、ＬＴＥサービングネットワークとともに使用するための３ＧＰＰによって定義された制御プレーン（ＣＰ）ロケーションソリューションと含み得る、測位およびロケーションサービスをサポートする１つまたは複数のネットワーク１３０を通じてサーバ１５０とワイヤレス通信することが可能であり得る。例えば、ロケーションサービス（ＬＣＳ）は、（ロケーションサーバの形態をとり得る）サーバ１５０にアクセスし、ＵＥ１２０のロケーションを求める要求を発行する、ＬＣＳクライアント１６０のために（on behalf of an LSC client 160）実行され得る。次いで、サーバ１５０は、ＵＥ１２０についてのロケーション推定値でＬＣＳクライアント１６０に応答し得る。ＬＣＳクライアント１６０は、（例えば、サーバ１５０およびＵＥ１２０によって使用されるロケーションソリューションがＳＵＰＬであるとき）ＳＵＰＬエージェントとしても知られ得る。様々な実施形態では、ＵＥ１２０はまた、ＵＥ１２０内の適切な測位対応機能（positioning capable function）に対してロケーション要求を発行し、後に返されたＵＥ１２０についてのロケーション推定値を受信し得る、ＬＣＳクライアントまたはＳＵＰＬエージェント（図１には図示せず）を含み得る。ＵＥ１２０内のＬＣＳクライアントまたはＳＵＰＬエージェントは、ＵＥ１２０のユーザのためのロケーションサービスを実行し得る（例えば、ナビゲーション指示を提供し、またはＵＥ１２０の近傍内にある関心地点を識別する）。
【００２５】
[0032]様々な実施形態では、本明細書で開示される様々な態様および実施形態とともに使用されるサーバ１５０は、ＳＵＰＬロケーションプラットフォーム（ＳＬＰ）、発展型サービングモバイルロケーションセンタ（ｅＳＭＬＣ）、サービングモバイルロケーションセンタ（ＳＭＬＣ）、ゲートウェイモバイルロケーションセンタ（ＧＭＬＣ）、ＰＤＥ、スタンドアロンＳＭＬＣ（ＳＡＳ）、および／または同様のものであり得る。
【００２６】
[0033]図１に例示されるように、ＵＥ１２０は、ネットワーク１３０と、ネットワーク１３０に関連付けられたアンテナ１４０とを通じて、サーバ１５０と通信し得る。ＵＥ１２０は、アンテナ１４０からの信号を受信および測定し得、これは、ポジション決定のために使用され得る。例えば、ＵＥ１２０は、それぞれ、セル１４５−１、１４５−２、１４５−３、および１４５−４に関連付けられ得る、アンテナ１４０−１、１４０−２、１４０−３、および／または１４０−４のうちの１つまたは複数からの信号を受信および測定し得る。様々な実施形態では、アンテナ１４０は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などであり得るワイヤレス通信ネットワークの一部を形成し得る。「ネットワーク」および「システム」という用語は、しばしば交換可能に用いられる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）ネットワーク、ＷｉＭａｘネットワークなどであり得る。
【００２７】
[0034]ＣＤＭＡネットワークは、ｃｄｍａ２０００、広帯域ＣＤＭＡ（Ｗ−ＣＤＭＡ（登録商標））などのような、１つまたは複数の無線アクセス技術（ＲＡＴ）をインプリメントし得る。ｃｄｍａ２０００は、ＩＳ−９５、ＩＳ−２０００、およびＩＳ−８５６規格を含む。ＴＤＭＡネットワークは、モバイル通信のためのグローバルシステム（ＧＳＭ（登録商標））、デジタルアドバンストモバイル電話システム（Ｄ−ＡＭＰＳ）、または別の好適なＲＡＴをインプリメントし得る。ＧＳＭ、Ｗ−ＣＤＭＡ、およびＬＴＥは、３ＧＰＰからの文書に説明されている。ｃｄｍａ２０００は、「第３世代パートナーシッププロジェクト２」（３ＧＰＰ２）という名称のコンソーシアムからの文書に説明されている。３ＧＰＰおよび３ＧＰＰ２の文書は、公的に入手可能である。ＷＬＡＮは、米国電気電子学会（ＩＥＥＥ）８０２．１１ｘネットワークであり得、ＷＰＡＮは、Ｂｌｕｅｔｏｏｔｈ（登録商標）ネットワーク、ＩＥＥＥ８０２．１５ｘ、または別の好適なネットワークタイプであり得る。技法はまた、ＷＷＡＮ、ＷＬＡＮ、および／またはＷＰＡＮの任意の組合せとともにインプリメントされ得る。例えば、アンテナ１４０およびネットワーク１３０は、例えば、発展型ユニバーサルモバイルテレコミュニケーションズシステム（ＵＭＴＳ）地上無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータオプティマイズド（ＥｖＤＯ）ネットワーク、ＷｉＭａｘネットワーク、またはＷＬＡＮの一部を形成し得る。
【００２８】
[0035]様々な実施形態では、ＵＥ１２０は、オプションでまた、衛星測位システム（ＳＰＳ）の一部であり得る、ＳＶ１８０と総称される１つまたは複数の地球周回宇宙ビークル（ＳＶ）１８０−１または１８０−２からの信号を受信し得る。例えば、様々な実施形態では、ＳＶ１８０は、米国の全地球測位システム（ＧＰＳ）、欧州のガリレオシステム、ロシアのグロナスシステム、または中国のコンパスもしくは北斗システムなどの、全地球航法衛星システム（ＧＮＳＳ）のコンステレーションにあり得る。ある特定の態様によれば、本明細書で提示される技法は、ＳＰＳのためのグローバルシステム（例えば、ＧＮＳＳ）に限定されない。例えば、本明細書で提供される技法は、例えば、日本上空の準天頂衛星システム（ＱＺＳＳ）、インド上空のインド地域航法衛星システム（ＩＲＮＳＳ）などの、様々な地域システム、および／または、１つまたは複数の全地球および／または地域航法衛星システムに関連付けられ得るか、またはさもなければ、それらとの使用のために有効にされ得る様々な補強システム（例えば、静止衛星型衛星航法補強システム（ＳＢＡＳ））に適用され得るか、またはさもなければ、それらにおける使用のために有効にされ得る。限定ではなく例として、ＳＢＡＳは、インテグリティ情報、ディファレンシャル補正などを提供する（１つまたは複数の）補強システムを含み得る（例えば、広域補強システム（ＷＡＡＳ）、欧州静止衛星航法オーバレイサービス（ＥＧＮＯＳ）、運輸多目的衛星用衛星航法補強システム（ＭＳＡＳ）、ＧＰＳ支援静止衛星補強航法またはＧＰＳおよび静止衛星補強航法（ＧＡＧＡＮ）システムなど）。したがって、本明細書で使用される場合、ＳＰＳは、１つまたは複数の全地球および／または地域航法衛星システムおよび／または補強システムの任意の組合せを含み得、ＳＰＳ信号は、ＳＰＳ信号、ＳＰＳ様（SPS-like）信号、および／またはそのような１つまたは複数のＳＰＳに関連付けられた他の信号を含み得る。
【００２９】
[0036]図２を参照すると、簡略化されたブロック図が、ＵＥ１２０にロケーションサービスを提供し得るシステム１７５における例示的なエンティティを示すために例示される。例えば、図２を参照すると、サーバ１５０は、ＵＥ１２０が、ＳＶ１８０およびアンテナ１４０からの信号を捕捉および測定すること、および／または測定値１７２からロケーション推定値１７３を導出または改良することを支援するために使用され得る、ＵＥ１２０の近似ロケーションおよび／またはロケーション支援データ１７８などのロケーション関連情報を、ＵＥ１２０に提供するように構成されたロケーションサーバであり得る。
【００３０】
[0037]したがって、ＵＥ１２０は、測定値１７２および／またはロケーション推定値１７３を取得するために、１つまたは複数の基準ソース１７０からの信号を測定し得る。ＵＥ１２０は、ＳＶ１８０についての擬似レンジ測定値および／またはアンテナ１４０からのＯＴＤＯＡ関連測定値を測定することによって、測定値１７２を取得し得る。したがって、（１つまたは複数の）基準ソース１７０は、ネットワーク１３０におけるセル１４５に関連付けられたアンテナ１４０および／またはＳＶ１８０からの信号を表し得る。様々な事例では、測定値１７２は、ＵＥ１２０によってとられ、ＵＥ１２０についてのポジション推定値を導出するためにサーバ１５０に送られるＯＴＤＯＡ関連測定値を備え得る。例えば、ＵＥ１２０は、サーバ１５０に、ロケーション推定値１７３または測定値１７２（例えば、１つまたは複数のネットワークからの基準信号時間差（ＲＳＴＤ）などの様々なネットワーク測定値）などの、ロケーション関連情報を提供し得る。
【００３１】
[0038]様々な事例では、ＵＥ１２０はまた、ＵＥ１２０についての推定されたポジションを導出するために、擬似距離および／またはＯＴＤＯＡ関連測定値であり得る測定値１７２を使用することによって、ロケーション推定値１７３を取得し得る。例えば、ＵＥ１２０は、ＵＥ１２０に関連付けられたポジションを計算するために、複数の基地局（ｅノードＢなど）からのダウンリンク無線信号の到着時間における差を使用し得る。例えば、図１を参照すると、セル１４５−１からの第１の信号が時間ｔ１において受信され、セル１４５−３からの第２の信号が時間ｔ２において受信された場合には、ＯＴＤＯＡまたは基準信号時間差（ＲＳＴＤ：Reference Signal Time Difference）は、ｔ２−ｔ１によって与えられる。一般に、ｔ２およびｔ１は、到着時間（ＴＯＡ：Time Of Arrival）測定値として知られている。
【００３２】
[0039]様々な実施形態では、ＵＥ１２０は、セキュアユーザプレーン（ＳＵＰＬ）対応端末（ＳＥＴ：Enabled Terminal）の形態をとり得、サーバ１５０と通信し、ロケーション支援データ１７８を使用して、ＵＥ１２０についてのロケーション推定値またはポジションフィックスを取得し得、これは、次いで、ＬＣＳクライアント１６０（図２に図示せず）に通信され得る。
【００３３】
[0040]様々な態様によれば、ＵＥ１２０のポジションがＯＴＤＯＡ測位技法を使用して推定されるとき、２つのセル（すなわち、基準セルとネイバーセル）間の相対タイミング差を表すＲＳＴＤ測定値は、イントラ周波数ＲＳＴＤ測定値またはインター周波数ＲＳＴＤ測定値であり得る。特に、イントラ周波数ＲＳＴＤ測定は、基準セルとネイバーセルの両方が、ＵＥ１２０に関連付けられたサービングセルと同じキャリア周波数上にあるときに実行される。一方、インター周波数ＲＳＴＤ測定は、基準セルまたはネイバーセルのうちの少なくとも１つが、ＵＥ１２０に関連付けられたサービングセルに対して異なるキャリア周波数上にあるときに実行される。ＲＳＴＤ測定は、原理上は、セル固有基準信号（ＣＲＳ：cell-specific reference signals）または同期信号などの、任意のダウンリンク（ＤＬ）信号に対して実行され得るが、これらのＤＬ信号は、劣悪な可聴性（poor hearability）をこうむる傾向がある。このような劣悪な可聴性は、ＵＥ１２０が、ＵＥ１２０の２つの座標（例えば、ｘ−ｙ座標または緯度−経度）を求めるために、地理的に分散した基地局から少なくとも３つの測定値を取得するために、複数のネイバーセルを検出しなければならないとき、ＯＴＤＯＡ測位（positioning）に課題をもたらし得る。したがって、ＯＴＤＯＡ測位パフォーマンスを改善するために、ｅノードＢ（ｅＮＢ）信号からのＵＥ１２０の適切なタイミング（測距）測定を可能にするために、測位基準信号（ＰＲＳ）が、３ＧＰＰロングタームエボリューション（ＬＴＥ）リリース９規格に導入された。
【００３４】
[0041]例えば、様々な態様によれば、図３は、ＯＴＤＯＡ測位技法における使用に好適であり得る例示的なＰＲＳ送信スケジュールを例示し、一方、図４は、システムフレーム番号（ＳＦＮ）と、セル固有サブフレームオフセットと、ＰＲＳ周期性との間の関係を示す例示的なＰＲＳサブフレーム構成を例示する。
【００３５】
[0042]より詳細には、図３を参照すると、時間がＸ（水平）軸上に示され、一方、周波数がＹ（垂直）軸上に示されている。図３に示されるように、ダウンリンクおよびアップリンクＬＴＥ無線フレーム１０は、１０ミリ秒（ｍｓ）の持続時間をそれぞれ有する。ダウンリンク周波数分割複信（ＦＤＤ）モードの場合、無線フレーム１０は、それぞれ１ミリ秒の持続時間の１０個のサブフレーム１２に編成される。各サブフレーム１２は、各々が０．５ｍｓの持続時間を有する２つのスロット１４を備える。
【００３６】
[0043]周波数領域では、利用可能な帯域幅は、均一に離間された直交サブキャリア１６に分割され得る。例えば、１５ＫＨｚ間隔を使用する通常の長さのサイクリックプレフィックスの場合、サブキャリア１６は、１２個からなるグループにグループ化され得る。図３において、１２個のサブキャリア１６を備える各グルーピングは、リソースブロックと称され、上記の例では、リソースブロックにおけるサブキャリアの数は、ＮＳＣＲＢ＝１２と書かれ得る。所与のチャネル帯域幅について、送信帯域幅構成とも呼ばれる、各チャネル上で利用可能なリソースブロックの数は、ＮＲＢＤＬ２２によって与えられる。例えば、上記の例における３ＭＨｚのチャネル帯域幅の場合、各チャネル上で利用可能なリソースブロックの数は、ＮＲＢＤＬ＝１５によって与えられる。
【００３７】
[0044]様々な態様によれば、図３とともに図１を参照すると、セル１４５−１〜１４５−４にそれぞれ対応するアンテナ１４０−１〜１４０−４はまた、測位「機会（occasions）」にグループ化された特殊測位サブフレーム中で、３ＧＰＰ  ＬＴＥリリース９において規格化された測位基準信号（ＰＲＳ）を送信し得る。例えば、ＬＴＥでは、測位機会またはＰＲＳ機会（ＮＰＲＳ）は、１つ、２つ、４つ、または６つの連続する測位サブフレームを備え得（ＮＰＲＳε｛１，２，４，６｝）、１６０、３２０、６４０、または１２８０ミリ秒の間隔で周期的に発生する。図３に示される例では、ＮＰＲＳ１８は４であり、ＮＰＲＳ＝４と書かれ得る。測位機会は、ＰＲＳ周期性２０で繰り返される。例えば、図３では、ＰＲＳ周期性２０は、ＴＰＲＳによって示される。様々な実施形態では、ＴＰＲＳは、連続する測位機会の開始の間のサブフレーム数によって測定され得る。
【００３８】
[0045]各測位機会内で、ＰＲＳは、一定の電力で送信される。ＰＲＳはまた、ゼロ電力で送信され得る（すなわち、ミュートされる）。規則的にスケジュールされたＰＲＳ送信をオフにするミューティングは、セル間でＰＲＳパターンが重複するときに有用であり得る。ミューティングは、ＵＥ１２０による信号捕捉を支援する。ミューティングは、特定のセルにおける所与の測位機会の間のＰＲＳの非送信と見なされ得る。ミューティングパターンは、ビットストリングを使用してＵＥ１２０にシグナリングされ得る。例えば、ミューティングパターンをシグナリングするビットストリング内で、ポジションｊのビットが「０」に設定される場合には、ＵＥ１２０は、ＰＲＳがｊ番目の測位機会の間ミュートされると推論し得る。
【００３９】
[0046]ＰＲＳの可聴性をさらに改善するために、測位サブフレームは、ユーザデータチャネルなしで送信される低干渉サブフレームであり得る。結果として、理想的に同期されたネットワークでは、ＰＲＳは、同一のＰＲＳパターンインデックスを有する（すなわち、同じ周波数シフトを有する）他のセルのＰＲＳからの干渉を受け得るが、データ送信からは受けない。例えば、ＬＴＥでの周波数シフトは、物理セル識別子（ＰＣＩ）の関数として定義され、６の有効周波数再利用係数をもたらす。
【００４０】
[0047]連続する測位サブフレームの数、周期性、ミューティングパターンなどのＰＲＳ構成パラメータは、ネットワーク１３０によって構成され得、ＯＴＤＯＡ支援データとして（例えば、サーバ１５０によって）ＵＥ１２０にシグナリングされ得る。例えば、ＵＥ１２０とサーバ１５０との間でのＬＰＰまたはＬＰＰｅメッセージは、ＯＴＤＯＡ支援データを含むロケーション支援データ１７８を転送するために使用され得る。ＯＴＤＯＡ支援データは、基準セル情報と、１つまたは複数のネイバーセルについてのネイバーセルリストとを含み得る。基準セルおよびネイバーセルリストは、セルのＰＣＩならびにセルのためのＰＲＳ構成パラメータをそれぞれ含み得る。さらに、様々な実施形態では、ネイバーセルリストは、測定値の優先度に従ってソートされ得る。
【００４１】
[0048]一般に、上述されたように、ＯＴＤＯＡ支援データは、通常、「基準セル」に対して相対的な１つまたは複数の「ネイバーセル」または「隣接セル」について提供される。例えば、ＯＴＤＯＡ支援データは、「予期されるＲＳＴＤ」パラメータを含み得、これは、予期されるＲＳＴＤパラメータの不確実性と一緒に、ＵＥ１２０が現在のロケーションにおいて測定することが予期されるＲＳＴＤ値に関する情報をＵＥ１２０に提供する。次いで、不確実性と一緒に予期されるＲＳＴＤは、ＵＥ１２０がＲＳＴＤ値を測定することが予期される、ＵＥ１２０のためのサーチウィンドウを定義する。ＯＴＤＯＡ支援データネイバーセルリスト内のセルについての「予期されるＲＳＴＤ」は、通常、ＯＴＤＯＡ支援データ基準セルに対して相対的に提供される。ＯＴＤＯＡ支援情報はまた、ＰＲＳ構成情報パラメータを含み得、これは、ＵＥ１２０が、様々なセルから受信される信号上でＰＲＳ測位機会がいつ発生するかを決定することと、ＴＯＡを測定するために、様々なセルから送信されるＰＲＳシーケンスを決定することとを可能にする。
【００４２】
[0049]ここで、図４に示される例示的なＰＲＳサブフレーム構成を参照すると、セル固有のＰＲＳサブフレーム構成は、３ＧＰＰ仕様によるＯＴＤＯＡ支援データに含まれる「ＰＲＳ構成インデックス」ＩＦＲＳによって定義される。図４に示されるように、セル固有サブフレームオフセットΔＰＲＳ５２は、システムフレーム番号ゼロ，スロット番号ゼロ５０から開始して、ＰＲＳ測位機会の開始までに送信されるサブフレーム数によって定義され得る。図４では、（そのように明確に示されてはいないが）ＮＰＲＳ１８は、４である。いくつかの実施形態では、ＵＥ１２０がＯＴＤＯＡ支援データにおいてＰＲＳ構成インデックスＩＰＲＳを受信したとき、ＵＥ１２０は、ＰＲＳ周期性ＴＰＲＳおよびＰＲＳサブフレームオフセットΔＰＲＳを決定し得る。フレームおよびスロットタイミングに関する情報（すなわち、セル１４５−ｋについてのＳＦＮおよびスロット番号（ｎｆ，ｎｓ））を取得すると、ＵＥ１２０は、ＰＲＳがセル１４５−ｋにおいてスケジュールされるフレームおよびスロットを決定し得る。ＯＴＤＯＡ支援データは、サーバ１５０によって決定され、基準セルおよびいくつかのネイバーセルのための支援データを含む。
【００４３】
[0050]一般に、上述されたように、ＯＴＤＯＡ測位技法は、ＧＮＳＳ信号が利用不可能であり得る厳しい環境条件（例えば、屋内、立体駐車場内、トンネルなど）などの、多くの使用ケースにおいて適用され得る実現可能な測位方法である。それにもかかわらず、ＯＴＤＯＡベースの測位技法は、ある特定の課題を提示する。例えば、上述されたインター周波数ＲＳＴＤの例では、ＵＥ１２０が、（i）サービングセルキャリア上での送信／受信を停止し、（ii）受信機をネイバーセル（または、サービングセルが基準セルとして使用されず、基準セルがサービングセルと同じキャリア周波数上にない場合、基準セル）の周波数（ｆ２）に同調させ、（iii）ネイバーセルに同期し、（iv）ネイバーセルのＰＲＳを復号し、（v）受信機をサービングセル周波数（ｆ１）に戻すように同調させる必要があり得るので、ＯＴＤＯＡ測位における困難が生じ得る。
【００４４】
[0051]したがって、従来のシステムでは、インター周波数ＲＳＴＤ測定は、ＵＥ１２０において測定ギャップを使用する傾向があり、ここにおいて、測定ギャップは、一般に、その間にアップリンク送信またはダウンリンク送信がスケジュールされない時間期間を指す。一般に、ＯＴＤＯＡ測定セッション中に、ｅノードＢ（ｅＮＢ）が、ＵＥトリガ測定ギャップ要求メッセージに応答して測定ギャップを構成する。これは、ＯＴＤＯＡ測定がさもなければｅＮＢに対して透過的であるからである。したがって、ＵＥトリガ測定ギャップ要求メッセージは、ＵＥ１２０がインター周波数測位測定を実行する必要性を、ｅＮＢに認識させるために使用される。しかしながら、測定ギャップには様々な欠点を被る傾向にある。例えば、他の課題の中でもとりわけ、測定ギャップを構成することは、特に、ＯＴＤＯＡ測位を使用することが企図されるＩｏＴデバイスおよび他のＵＥ１２０が、かなりの数で展開されることが予想されるので、ＵＥ１２０のためのギャップパターンを構成するために使用される（１つまたは複数の）ネットワークノードに対する多大な負担となり得る。さらに、測定ギャップが、アップリンク送信またはダウンリンク送信がスケジュールされない時間期間を定義するので、測定ギャップは、過少利用につながり得、および／または、ネットワークスループットを潜在的に制限し得る。したがって、改善されたＯＴＤＯＡ測位方法が望まれ、ここにおいて、以下でさらに詳細に説明される様々な態様および実施形態は、測定ギャップを大幅に低減または除去することもできるような方法で、ある特定の電力節約パラメータを有利に活用し得る。
【００４５】
[0052]より詳細には、スマートフォン、ＩｏＴデバイス、および他の電力に敏感なデバイスの普及がますます進むとともに、多くのワイヤレスシステムは、ユーザデバイスにおけるシグナリング需要を低減し、バッテリ寿命を改善するために、電力最適化を使用する。例えば、このような方法の１つが、電力消費を低減し、それによって、ＵＥのバッテリを節約するためにモバイル通信において使用される間欠受信（ＤＲｘ）モードである。ＵＥおよびネットワークは、データ転送が行われるフェーズをネゴシエートし、ここで、受信機は、ＵＥにおいて（例えば、接続状態において）オンにされる。その他の時間の間、ＵＥは、受信機をオフにし、低電力状態に入る。通常は、この目的のための、プロトコルの設計に盛り込まれた機能がある。例えば、送信は、アドレスの詳細を含むヘッダを有するスロット内に構築され得、その結果、ＵＥは、送信が関連しているか否かを決めるために、各スロット内のこれらのヘッダをリッスンし得る。このケースでは、受信機は、ヘッダを受信するために各スロットの始めにおいてのみアクティブであり得、バッテリ寿命を節約する。他のＤＲｘ技法はポーリングを含み、これによって、ＵＥは、所与の時間量の間スタンバイに置かれ、次いで、ＵＥのための待機している任意のデータがあるかを示すために、ビーコンが基地局によって周期的に送られる。
【００４６】
[0053]ＬＴＥでは、ＤＲｘは、無線リソース制御（ＲＲＣ）プロトコルによって制御され、ここにおいて、ＲＲＣシグナリングは、典型的に、全てのスケジューリングおよびページング情報が送信されるとき、ＵＥにおける受信機がある特定の期間の間動作可能であるＤＲｘサイクルを設定する。一般に、ＤＲｘサイクルは、ページングサイクルにおける無線フレームの数を示し、これによって、ページングサイクルにおける無線フレームの数を表すパラメータが増大するにつれて、より少ないバッテリ電力がＵＥにおいて消費され得る（すなわち、ＵＥは、ページングサイクルにおいてより多くの無線フレームがあるとき、低電力状態でより多くの時間を過ごす）。一方、ページングサイクルにおける無線フレームの数が低減するにつれて、ＵＥにおいて消費されるバッテリ電力は増大する。ＤＲｘサイクルは、セル固有またはＵＥ固有のパラメータであり得る。例えば、ＤＲｘサイクルは、ｅＮＢがＤＲｘサイクルを構成し、デフォルトページングサイクルとして、システム情報ブロック２（ＳＩＢ２）中で、セルにおける全てのＵＥに適切なパラメータをブロードキャストするとき、セル固有である。ＤＲｘサイクルは、適切なパラメータを、「ＵＥ固有ＤＲｘサイクル」として、非アクセス層（ＮＡＳ）シグナリングで特定のＵＥに、およびＭＭＥで開始されるページングメッセージ（MME-initiated paging message）のための「ページングＤＲｘ」として、ＰＡＧＩＮＧ  Ｓ１  ＡＰメッセージでｅＮＢに提供する、モビリティ管理エンティティ（ＭＭＥ）において構成されるとき、ＵＥ固有である。
【００４７】
[0054]例えば、様々な態様によれば、図５は、ＵＥがＤＲｘサイクルまたは接続モードＤＲｘ（ＣＤＲｘ）サイクル５１０に従い得る例示的なタイムライン５００を例示する。具体的には、図５に示されるように、ＵＥに割り振られるＤＲｘ／ＣＤＲｘサイクル５１０は、ＵＥが、物理ダウンリンク制御チャネル（ＰＤＣＣＨ）などのダウンリンク送信を監視し得る、割り振られたＯＮ持続時間５１２を含み得る。ＯＮ持続時間５１２の外側には、ＤＲｘ／ＣＤＲｘサイクル５１０は、ＵＥがバッテリ節約のために、またはＰＲＳなどのインター周波数／インター無線アクセス技術（ＲＡＴ）信号を捕捉するためにスリープモードに入り得るＯＦＦ持続時間５１４を含む。様々な態様によれば、ＵＥがＯＦＦ持続時間５１４中にインター周波数／インターＲＡＴ信号を捕捉することを可能にするこのメカニズムは、有利には、測定ギャップを大幅に低減または除去し、ＯＴＤＯＡセッション中の電力使用を節約するために活用され得る。
【００４８】
[0055]より詳細には、典型的なシナリオでは、ＵＥは、ＲＲＣ接続セットアップおよび／またはＲＲＣ接続再構成メッセージ中で、１つまたは複数のネットワーク構成されたＤＲｘ／ＣＤＲｘ構成パラメータを受信し得る。例えば、ＤＲｘ／ＣＤＲｘ構成パラメータは、ＰＤＣＣＨの受信後にＵＥがどれだけ長く「ＯＮ」のままであるべきかを指定するためのＤｒｘＩｎａｃｔｉｖｉｔｙＴｉｍｅｒ、１つのＤＲｘ／ＣＤＲｘサイクル５１０内のＯＮ持続時間５１２を指定するためのＯｎＤｕｒａｔｉｏｎＴｉｍｅｒ、および／または他の好適なパラメータ（例えば、ｓｈｏｒｔＤｒｘＴｉｍｅｒ、ＬｏｎｇＤｒｘＣｙｃｌｅ、ｄｒｘＳｔａｒｔＯｆｆｓｅｔ、ｄｒｘＳｈｏｒｔＣｙｃｌｅＴｉｍｅｒなど）を含み得る。ＯＴＤＯＡ測定セッションとのコンテキストでは、ＵＥは、インター周波数ＰＲＳ機会がＯＮ持続時間５１２と衝突する場合には、測定ギャップを必要とし得る。しかしながら、ＵＥが、少なくともいくつかの（好ましくは、大半または全ての）インター周波数ＰＲＳ機会がＤＲｘ／ＣＤＲｘ  ＯＦＦ持続時間５１４と一致するように、ＯＴＤＯＡ支援データを受信し得る場合には、測定ギャップは、（例えば、ＵＥがそのような時間の間にインター周波数信号を測定し得るので）インター周波数ＯＴＤＯＡ測定値を取得するために必ずしも必要ではない場合がある。したがって、一旦ＵＥがＬＳ、ＰＤＥ、または他の好適なネットワークエンティティからＯＴＤＯＡ支援データを受信すると、ＵＥは、タイムアウト期間が満了するか、あるいは有効なおよび／または適格な測定値が取得されるまで、ＰＲＳ測定を開始し得る。この時間の間、ＵＥは、ＯＴＤＯＡ測定値がＬＳ／ＰＤＥに折り返し報告される必要がある場合および／またはその必要があるときまで、アクティブ接続が必ずしも必要ではないので、ＤＲｘ／ＣＤＲｘサイクル５１０に好適に入り得る。
【００４９】
[0056]様々な態様によれば、いくつか、大半、または全てのＰＲＳ機会が、ＤＲｘ／ＣＤＲｘ  ＯＦＦ持続時間５１４と一致するように、最適化されたＯＴＤＯＡ支援データをＵＥに提供するために、ＵＥは、ＬＳ／ＰＤＥにＰＲＳ測定値を取得するために使用されることになるＤＲｘ／ＣＤＲｘ構成を送り得る。様々な実施形態では、ＵＥは、ＯＭＡによって定義されたセキュアユーザプレーンロケーション（ＳＵＰＬ）ソリューション、３ＧＰＰによって定義された制御プレーン（ＣＰ）ソリューション、および／または他の適用可能な規格に関連付けられたプロトコルと一致する１つまたは複数のメッセージを使用して、ＬＳ／ＰＤＥに適切なＤＲｘ／ＣＤＲｘ構成パラメータを送り得る。例えば、様々な実施形態では、ＵＥは、ＬＰＰ能力提供メッセージ（LPP Provide Capabilities message）を介して、ＬＳ／ＰＤＥに適切なＤＲｘ／ＣＤＲｘ構成パラメータを送り得る。次いで、ＬＳ／ＰＤＥは、ＤＲｘ／ＣＤＲｘ  ＯＦＦ持続時間５１４と一致するＰＲＳ機会を送信するインター周波数ＯＴＤＯＡ支援データ（例えば、インター周波数ｅＮＢ）を選択し得、したがって、測定ギャップの必要性を低減または除去する（例えば、測定ギャップの必要性は、全てのインター周波数ＰＲＳ機会がＯＦＦ持続時間５１４と一致する場合に除去され、またはいくつかのインター周波数ＰＲＳ機会がＯＦＦ持続時間５１４と一致し、その他のものがＯＮ持続時間５１２と一致するときに低減され得る）。さらに、上述されたように、ＯＴＤＯＡ支援データは、典型的には、１つまたは複数のネイバーセルについてのネイバーセルリストを含み得、これは、測定値の優先度に従ってソートされ得る。したがって、様々な実施形態では、インター周波数ＯＴＤＯＡ支援データは、インター周波数ｅＮＢが測定ギャップの必要性をどの程度効果的に低減するかに従って、ネイバーセルリスト中のインター周波数ｅＮＢに優先順位付けし得る。例えば、ネイバーセルリストは、ＯＴＤＯＡ測位のために使用され得る全ての可能なインター周波数ｅＮＢを含み得、それは、インター周波数ｅＮＢによって送信されるＰＲＳ機会が、ＤＲｘ／ＣＤＲｘ  ＯＦＦ持続時間５１４と揃う（アラインする、揃う、align）程度に従ってソートされ得る。したがって、ネイバーセルリストは、インター周波数ＰＲＳ機会が、ＵＥに関連付けられたＤＲｘ／ＣＤＲｘ構成のＯＦＦ持続時間５１４と揃う程度に少なくとも部分的に基づく優先度に従って複数のｅＮＢを順序付け得、ＵＥに送信される支援データは、生成されたリストを含み得る。一例では、リストは、ＤＲｘ／ＣＤＲｘ構成のＯＦＦ持続時間５１４と揃う、より長い時間期間を有するｅＮＢが、ＤＲｘ／ＣＤＲｘ構成のＯＦＦ持続時間５１４と揃う、より短い時間期間を有するｅＮＢよりも前にリスト上に現れるように順序付けられている。他の例では、ネイバーセルリストは、ＤＲｘ／ＣＤＲｘ  ＯＦＦ持続時間５１４と完全に揃うかまたはさもなければそれと一致するＰＲＳ機会を送信するインター周波数ｅＮＢのみ、ＤＲｘ／ＣＤＲｘ  ＯＦＦ持続時間５１４と少なくとも部分的に揃うかまたはさもなければそれと一致するＰＲＳ機会を送信するインター周波数ｅＮＢのサブセットのみなどを含み得る。
【００５０】
[0057]様々な態様によれば、ＵＥに、適切なＤＲｘ／ＣＤＲｘ構成パラメータをＬＳ／ＰＤＥへ送らせるのではなく（またはそれに加えて）、本明細書で企図される様々な実施形態は、ＬＳ／ＰＤＥが、適切なＤＲｘ／ＣＤＲｘ構成パラメータを取得するために、ＵＥにサービス提供するｅＮＢまたはＭＭＥと通信することを可能にし得る。例えば、キャリアは、一般にＬＳ／ＰＤＥを維持するので、ＬＳ／ＰＤＥは、所与のＵＥに割り当てられることになるＤＲｘ／ＣＤＲｘ構成パラメータを好適に予測する能力を有し得る。したがって、様々な実施形態では、ＬＳ／ＰＤＥは、適切なＤＲｘ／ＣＤＲｘ構成パラメータを取得するために、ＵＥにサービス提供するｅＮＢまたはＭＭＥと通信し、ＯＴＤＯＡ支援データに含めるために選択されたインター周波数ｅＮＢが、ＵＥに割り当てられることが予期されるＤＲｘ／ＣＤＲｘ  ＯＦＦ持続時間５１４と一致するＰＲＳ機会を有するように、ＵＥに提供されるインター周波数ＯＴＤＯＡ支援データを微調整するように構成され得る。さらに、上記でさらに詳細に説明されたのと同様の方法で、インター周波数ＯＴＤＯＡ支援データは、インター周波数ｅＮＢが測定ギャップの必要性をどの程度効果的に低減するかに従って優先順位付けされ得る。
【００５１】
[0058]様々な態様によれば、別の可能なインプリメンテーションでは、ＤＲｘ／ＣＤＲｘサイクル５１０は、ＵＥに提供されたインター周波数ＯＴＤＯＡ支援データにおいて定義された適用可能なＰＲＳ送信スケジュールに従って構成され得る。このような例となる実施形態では、ＵＥは、ＬＳ／ＰＤＥからインター周波数ＯＴＤＯＡ支援データを受信し得、これは、適用可能なＰＲＳ送信スケジュールを示し得る。上述されたように、次いで、ＵＥは、タイムアウト期間が満了するか、あるいは有効なおよび／または適格なＯＴＤＯＡ測定値が取得されるまで、ＤＲｘ／ＣＤＲｘモードに入り得る。したがって、様々な実施形態では、ＵＥは、ＬＳ／ＰＤＥから受信されたインター周波数ＯＴＤＯＡ支援データに最も良く適したＵＥ固有ＤＲｘ／ＣＤＲｘ構成（すなわち、ＯＦＦ持続時間５１４が、受信されたインター周波数ＯＴＤＯＡ支援データにおいて示されるインター周波数ＰＲＳ機会と一致する構成を有するＤＲｘ／ＣＤＲｘサイクル５１０）を要求するために、サービングＭＭＥと通信し得る。代替および／または追加として、キャリアが、ＬＳ／ＰＤＥならびにｅＮＢ／ＭＭＥを維持し得るので、ｅＮＢ／ＭＭＥは、ＵＥに提供されるインター周波数ＯＴＤＯＡ支援データにおいて示されるＰＲＳ機会に関連付けられた適切なタイミングを決定するために、ＬＳ／ＰＤＥと通信し、したがって、インター周波数ＰＲＳ機会と一致するＯＦＦ持続時間５１４を有することによって、測定ギャップを最も効果的に低減する最適化されたＤＲｘ／ＣＤＲｘ構成をＵＥに提供し得る。
【００５２】
[0059]様々な態様によれば、図６は、ロケーションサーバ（ＬＳ）、ポジション決定エンティティ（ＰＤＥ）、または他の好適なネットワークデバイスが、ＵＥに割り当てられたＤＲｘ／ＣＤＲｘ  ＯＦＦ持続時間と一致するＰＲＳ機会を有する１つまたは複数のインター周波数ｅノードＢ（ｅＮＢ）を選択するために実行し得る、例示的な方法６００を例示する。
【００５３】
[0060]様々な実施形態では、ネットワークデバイスは、ブロック６１０において、ＵＥに関連付けられたＤＲｘ／ＣＤＲｘ構成を受信し得、ここにおいて、受信されたＤＲｘ／ＣＤＲｘ構成は、セル固有（ＵＥにサービス提供するｅＮＢにおいて構成される）またはＵＥ固有（ＵＥにサービス提供するＭＭＥにおいて構成される）であり得る。様々な実施形態では、ＤＲｘ／ＣＤＲｘ構成は、ＬＰＰ能力提供メッセージ（LPP Provide Capabilities message）を介して、ＵＥから受信され得る。代替および／または追加として、ＤＲｘ／ＣＤＲｘ構成は、ＵＥにサービス提供するｅＮＢまたはＭＭＥから受信され得る。いずれのケースでも、ブロック６２０において、ネットワークデバイスは、ＵＥに割り当てられたＤＲｘ／ＣＤＲｘ構成に関連付けられたＯＦＦ持続時間と一致するＰＲＳ機会を有する、１つまたは複数のインター周波数ｅＮＢを決定し得る。さらに、様々な実施形態では、ネットワークデバイスは、ブロック６２５において、インター周波数ｅＮＢがＵＥにおける測定ギャップの必要性をどの程度効果的に低減し得るかに基づいて、インター周波数ｅＮＢのリストをオプションで生成し得る。例えば、上述されたように、リストは、ＯＴＤＯＡ測位のために使用され得る全ての可能なインター周波数ｅＮＢを含み得、それは、インター周波数ｅＮＢによって送信されるＰＲＳ機会が、ＵＥにおいて使用されるＤＲｘ／ＣＤＲｘ  ＯＦＦ持続時間と揃う程度に従ってソートされ得る。したがって、リストは、インター周波数ＰＲＳ機会が、ＵＥに関連付けられたＤＲｘ／ＣＤＲｘ構成のＯＦＦ持続時間５１４と揃う程度に少なくとも部分的に基づく優先度に従って複数のｅＮＢを順序付け得、ＵＥに送信される支援データは、生成されたリストを含み得る。一例では、リストは、ＤＲｘ／ＣＤＲｘ構成のＯＦＦ持続時間と揃う、より長い時間期間を有するｅＮＢが、ＤＲｘ／ＣＤＲｘ構成のＯＦＦ持続時間と揃う、より短い時間期間を有するｅＮＢよりも前にリスト上に現れるように順序付けられている。他の例では、リストは、ＤＲｘ／ＣＤＲｘ  ＯＦＦ持続時間と完全に揃うかまたはさもなければそれと一致するＰＲＳ機会を送信するインター周波数ｅＮＢのみ、ＤＲｘ／ＣＤＲｘ  ＯＦＦ持続時間と少なくとも部分的に揃うかまたはさもなければそれと一致するＰＲＳ機会を送信するインター周波数ｅＮＢのサブセットのみ、および／またはこれらの任意の好適な組合せを含み得る。
【００５４】
[0061]様々な実施形態では、ブロック６３０において、ネットワークデバイスは、ＵＥに、インター周波数ＰＲＳ機会に関する情報を含む、ＯＴＤＯＡ支援データを送り得る。したがって、ＵＥは、次いで、割り当てられたＤＲｘ／ＣＤＲｘ構成に従って、ＤＲｘ／ＣＤＲｘモードに入り、ＤＲｘ／ＣＤＲｘ  ＯＦＦ持続時間中に発生するインター周波数ＰＲＳ機会に基づいて適切なインター周波数測定値を取得するために、ＯＴＤＯＡ支援データを利用し得る。
【００５５】
[0062]様々な態様によれば、図７は、ＵＥが、ＵＥに関連付けられたＤＲｘ／ＣＤＲｘ  ＯＦＦ状態中に送信されるインター周波数ＰＲＳ機会に基づいてインター周波数観測到着時間差（ＯＴＤＯＡ）測定値を取得するために実行し得る、例示的な方法７００を例示する。例えば、ブロック７１０において、ＵＥは、ロケーションサーバ（ＬＳ）、ＰＤＥ、および／または他の好適なネットワークデバイスから、ＯＴＤＯＡ支援データを受信し得る。一般に、受信されたＯＴＤＯＡ支援データは、１つまたは複数のインター周波数ＰＲＳ機会に関する情報（例えば、１つまたは複数のインター周波数ｅＮＢからのＰＲＳ送信に関連付けられたタイミング情報）を含み得る。様々な実施形態では、ブロック７１５において、ＵＥは、次いで、ＵＥにサービス提供するｅＮＢまたはＭＭＥから、ＯＦＦ持続時間が、受信されたＯＴＤＯＡ支援データ中のインター周波数ＰＲＳ機会の全て、大多数、または少なくともいくつかと一致する、ＤＲｘ／ＣＤＲｘ構成をオプションで要求し得る。代替として、様々な実施形態では、ＵＥにサービス提供するｅＮＢまたはＭＭＥは、ＬＳ／ＰＤＥから関連するＯＴＤＯＡ支援データを取得し、次いで、ＯＦＦ持続時間が、ＯＴＤＯＡ支援データ中のインター周波数ＰＲＳ機会と一致する、適切なＤＲｘ／ＣＤＲｘ構成を選択し得、このケースでは、ブロック７１５は、省略され得る。
【００５６】
[0063]様々な実施形態では、ｅＮＢ／ＭＭＥが、ＵＥまたはＬＳ／ＰＤＥから、ＯＴＤＯＡ支援データ中で示されるインター周波数ＰＲＳ機会に関する情報を受信するかどうかにかかわらず、ｅＮＢ／ＭＭＥは、ＵＥにおける測定ギャップの必要性を低減する試みにおいて、ＯＦＦ持続時間がインター周波数ＰＲＳ機会と最も良く一致するＤＲｘ／ＣＤＲｘ構成を選択し得る。一例では、ＤＲｘ／ＣＤＲｘ構成は、１つまたは複数のインター周波数ＰＲＳ機会がＤＲｘ／ＣＤＲｘ構成のＯＦＦ持続時間と揃う程度を最大化するように選択される。次いで、ｅＮＢ／ＭＭＥは、ブロック７２０において、ＵＥがネットワークからＤＲｘ／ＣＤＲｘ構成を受信するように、ＵＥにＤＲｘ／ＣＤＲｘ構成をシグナリングし得る。例えば、上述されたように、ＤＲｘ／ＣＤＲｘ構成パラメータは、セル固有またはＵＥ固有のパラメータであり得、ここにおいて、ｅＮＢは、ＤＲｘ／ＣＤＲｘ構成パラメータを構成し、デフォルトページングサイクルとして、システム情報ブロック２（ＳＩＢ２）中で、セルにおける当該ＵＥとその他任意のＵＥとに適切なパラメータをブロードキャストし得る。したがって、上述されたように、ＤＲｘ／ＣＤＲｘ構成は、ＵＥにサービス提供するｅＮＢ（またはＭＭＥ）において構成された１つまたは複数のセル固有パラメータ（または１つまたは複数のＵＥ固有パラメータ）を含み得る。代替として、ＵＥ固有ＤＲｘ／ＣＤＲｘ構成の場合、ＭＭＥは、適切なパラメータを構成し、それを、「ＵＥ固有ＤＲｘサイクル」としてＮＡＳシグナリングでＵＥに、およびＰＡＧＩＮＧ  Ｓ１  ＡＰメッセージでｅＮＢにシグナリングし得る。いずれのケースでも、ブロック７３０において、ＵＥは、ブロック７２０において受信された構成に基づいてＤＲｘ／ＣＤＲｘモードに入り、次いで、ＯＴＤＯＡ測定セッションを開始し得、タイムアウト期間が満了するか、または有効／適格な測定値が取得されるまで、ＤＲｘ／ＣＤＲｘ  ＯＦＦ持続時間中に送信されたインター周波数ＰＲＳ機会に基づいて、インター周波数ＯＴＤＯＡ測定値を取得する。
【００５７】
[0064]図８は、本明細書で説明された様々な態様および実施形態に従って構成され得る装置８０２、装置８０４、および装置８０６に組み込まれ得るいくつかのサンプル構成要素を例示する（例えば、装置８０２、８０４、８０６は、それぞれ、ＵＥ、ｅノードＢなどの基地局、および／またはモビリティ管理エンティティ（ＭＭＥ）などのネットワークエンティティ、およびロケーションサーバまたはＰＤＥなどのネットワークエンティティに対応し得る）。当業者であれば、これらの構成要素が、（例えば、ＡＳＩＣにおいて、システムオンチップ（ＳｏＣ）において、など）異なるインプリメンテーションでは異なるタイプの装置でインプリメントされ得ることを理解するであろう。例示された構成要素はまた、通信システムにおける他の装置に組み込まれ得る。例えば、システムにおける他の装置は、同様の機能を提供するために、説明されたものと同様の構成要素を含み得る。また、所与の装置が、構成要素のうちの１つまたは複数を含み得る。例えば、装置は、その装置が複数のキャリア上で動作すること、および／または異なる技術を介して通信することを可能にする、複数のトランシーバ構成要素を含み得る。
【００５８】
[0065]装置８０２および装置８０４は、少なくとも１つの指定された無線アクセス技術（ＲＡＴ）（例えば、ＬＴＥ）を介して他のノードと通信するための、少なくとも１つのワイヤレス通信デバイス（通信デバイス８０８および８１４によって表される）をそれぞれ含む。各通信デバイス８０８は、信号（例えば、測定値、メッセージ、インジケーション、情報など）を送信および符号化するための少なくとも１つの送信機（送信機８１０によって表される）と、信号（例えば、基準信号、メッセージ、インジケーション、情報、パイロットなど）を受信および復号するための少なくとも１つの受信機（受信機８１２によって表される）とを含む。例えば、受信機８１２は、本明細書で説明されるように、ＯＴＤＯＡ測定値を取得する際に使用するためのＰＲＳ、ＬＳまたはＰＤＥからのＯＴＤＯＡ支援データ、および／またはｅＮＢ／ＭＭＥからのＤＲｘ／ＣＤＲｘ構成パラメータを受信し得る。送信機８１０は、本明細書でさらに詳細に説明された技法に従って、ＬＳ／ＰＤＥにＤＲｘ／ＣＤＲｘ構成パラメータを送信するために、および／または、ｅＮＢ／ＭＭＥに特定のＤＲｘ／ＣＤＲｘ構成を求める要求を送信するために使用され得る。同様に、各通信デバイス８１４は、信号（例えば、基準信号、メッセージ、インジケーション、情報、パイロットなど）を送信するための少なくとも１つの送信機（送信機８１６によって表される）と、信号（例えば、メッセージ、インジケーション、情報など）を受信するための少なくとも１つの受信機（受信機８１８によって表される）とを含む。例えば、送信機８１６は、本明細書で説明されたような、ＰＲＳ、セル固有またはＵＥ固有のＤＲｘ／ＣＤＲｘ構成パラメータ、および／または他の好適な情報を送信するために使用され得る。受信機８１８は、本明細書で説明されたような、装置８０２および／または装置８０６によって送信された信号を受信するために使用され得る。
【００５９】
[0066]送信機および受信機は、いくつかのインプリメンテーションでは、（例えば、単一の通信デバイスの送信機回路および受信機回路として具現化される）一体化されたデバイスを備え得るか、いくつかのインプリメンテーションでは、別個の送信機デバイスおよび別個の受信機デバイスを備え得るか、または他のインプリメンテーションでは、他の方法で具現化され得る。装置８０４のワイヤレス通信デバイス（例えば、複数のワイヤレス通信デバイスのうちの１つ）はまた、様々な測定を実行するためのネットワークリッスンモジュール（ＮＬＭ：Network Listen Module）または同様のものを備え得る。
【００６０】
[0067]装置８０４および装置８０６は、他のノードと通信するための少なくとも１つの通信デバイス（通信デバイス８２０および通信デバイス８２６によって表される）を含む。例えば、通信デバイス８２６は、ワイヤードまたはワイヤレスバックホール接続を介して、１つまたは複数のネットワークエンティティと通信するように構成されたネットワークインターフェースを備え得る。いくつかの態様では、通信デバイス８２６は、ワイヤードまたはワイヤレス信号通信をサポートするように構成されたトランシーバとしてインプリメントされ得る。この通信は、例えば、メッセージ、パラメータ、または他のタイプの情報を送ることおよび受信することを伴い得る。したがって、図８の例では、通信デバイス８２６は、送信機８２８および受信機８３０を備えるものとして示されている。同様に、通信デバイス８２０は、ワイヤードまたはワイヤレスバックホールを介して、１つまたは複数のネットワークエンティティと通信するように構成されたネットワークインターフェースを備え得る。通信デバイス８２６と同様に、通信デバイス８２０は、送信機８２２および受信機８２４を備えるものとして示されている。装置８０２、８０４、および８０６はまた、本明細書で開示された動作と併せて使用され得る他の構成要素も含む。例えば、様々な実施形態では、装置８０２、８０４、８０６は、測定ギャップの必要性が大幅に低減または除去され得、電力使用が装置８０２におけるＯＴＤＯＡセッション中に節約され得るように、ＤＲｘ／ＣＤＲｘパラメータを活用することに関連し得る機能を提供するための、それぞれの処理システム８３２、８３４、８３６（例えば、プロセッサ、およびＡＳＩＣなど）を含み得る。
【００６１】
[0068]装置８０２、８０４、および８０６は、それぞれ、情報（例えば、確保されたリソース、しきい値、パラメータなどを示す情報）を維持するための、メモリ構成要素８３８、８４０、および８４２（例えば、各々がメモリデバイスを含む）を含む。加えて、装置８０２、８０４、および８０６は、それぞれ、ユーザにインジケーション（例えば、可聴的および／または視覚的なインジケーション）を提供するための、および／または（例えば、キーパッド、タッチスクリーン、マイクロフォンなどのような感知デバイスのユーザ操作時の）ユーザ入力を受信するための、ユーザインターフェースデバイス８４４、８４６、および８４８を含み得る。
【００６２】
[0069]便宜上、装置８０２、８０４、および／または８０６は、本明細書で説明された様々な例に従って構成され得る様々な構成要素を含むものとして、図８に示されている。しかしながら、例示されたブロックは、異なる設計では異なる機能を有し得ることが理解されるであろう。
【００６３】
[0070]図８の構成要素は、様々な方法でインプリメントされ得る。いくつかのインプリメンテーションでは、図８の構成要素は、例えば、１つまたは複数のプロセッサおよび／または１つまたは複数のＡＳＩＣ（これは、１つまたは複数のプロセッサを含み得る）などの、１つまたは複数の回路においてインプリメントされ得る。ここで、各回路は、この機能を提供するために回路によって使用される実行可能なコードまたは情報を記憶するための少なくとも１つのメモリ構成要素を使用および／または組み込み得る。例えば、ブロック８０８、８３２、８３８、および８４４によって表される機能のうちのいくつかまたは全てが、（例えば、適切なコードの実行によって、および／またはプロセッサ構成要素の適切な構成によって）装置８０２の（１つまたは複数の）プロセッサおよびメモリ構成要素によってインプリメントされ得る。同様に、ブロック８１４、８２０、８３４、８４０、および８４６によって表される機能のうちのいくつかまたは全てが、（例えば、適切なコードの実行によって、および／またはプロセッサ構成要素の適切な構成によって）装置８０４の（１つまたは複数の）プロセッサおよびメモリ構成要素によってインプリメントされ得る。また、ブロック８２６、８３６、８４２、および８４８によって表される機能のうちのいくつかまたは全てが、（例えば、適切なコードの実行、および／または適切なプロセッサ構成によって）装置８０６の（１つまたは複数の）プロセッサおよびメモリ構成要素によってインプリメントされ得る。
【００６４】
[0071]ある態様では、装置８０４は、ｅノードＢに対応し得る。装置８０２は、装置８０４とのワイヤレスリンク８６０を介してメッセージを送信および受信し得、メッセージは、様々なタイプの通信（例えば、音声、データ、マルチメディアサービス、関連する制御シグナリング、基準信号など）に関する情報を含む。ワイヤレスリンク８６０は、媒体８６２として図８に例として示される、対象となる通信媒体上で動作し得、これは、他の通信ならびに他のＲＡＴと共有され得る。このタイプの媒体は、媒体８６２についての装置８０４および装置８０２などの、送信機と受信機の１つまたは複数のペア間の通信に関連付けられた（例えば、１つまたは複数のキャリアにわたる１つまたは複数のチャネルを包含する）１つまたは複数の周波数、時間、および／または空間通信リソースから構成され得る。
【００６５】
[0072]特定の例として、媒体８６２は、ライセンス周波数帯域の少なくとも一部分に対応し得る。一般に、装置８０２および装置８０４は、それらが展開されるネットワークに依存して、ＬＴＥまたは第５世代（５Ｇ）新無線（ＮＲ）などの、１つまたは複数の無線アクセスタイプに従って、ワイヤレスリンク８６０を介して動作し得る。これらのネットワークは、例えば、ＣＤＭＡネットワークの異なる変形（例えば、ＬＴＥネットワーク）、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどを含み得る。
【００６６】
[0073]当業者であれば、情報および信号は、様々な異なる技術および技法のうちの任意のものを使用して表され得ることを理解するであろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【００６７】
[0074]さらに、当業者であれば、本明細書で開示された態様に関連して説明された様々な例示的な論理ブロック、モジュール、回路、およびアルゴリズムステップは、電子ハードウェア、コンピュータソフトウェア、または両方の組合せとしてインプリメントされ得ることをさらに理解するであろう。ハードウェアおよびソフトウェアのこの互換性を明確に例示するために、様々な例示的な構成要素、ブロック、モジュール、回路、およびステップが、概してそれらの機能の観点から上記で説明されてきた。このような機能が、ハードウェアとしてインプリメントされるか、またはソフトウェアとしてインプリメントされるかは、特定のアプリケーションおよびシステム全体に課せられる設計制約に依存する。当業者は、特定のアプリケーションごとに多様な方法において、説明された機能をインプリメントし得るが、このようなインプリメンテーションの決定は、本明細書で説明された様々な対応および実施形態の範囲から逸脱すると解釈されるべきでない。
【００６８】
[0075]本明細書で開示された態様に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他のこのような構成）としてインプリメントされ得る。
【００６９】
[0076]本明細書で開示された態様に関連して説明された方法、シーケンス、および／またはアルゴリズムは、直接ハードウェアにおいて、プロセッサによって実行されるソフトウェアモジュールにおいて、またはこれら２つの組合せにおいて具現化され得る。ソフトウェアモジュールは、ＲＡＭ、フラッシュメモリ、ＲＯＭ、ＥＰＲＯＭ、ＥＥＰＲＯＭ（登録商標）、レジスタ、ハードディスク、リムーバブルディスク、ＣＤ−ＲＯＭ、または当該技術分野において既知であるその他任意の形態の非一時的なコンピュータ可読媒体内に存在し得る。例示的な非一時的なコンピュータ可読媒体は、プロセッサが非一時的なコンピュータ可読媒体から情報を読み取り、非一時的なコンピュータ可読媒体に情報を書き込むことができるように、プロセッサに結合され得る。代替として、非一時的なコンピュータ可読媒体は、プロセッサと一体化され得る。プロセッサおよび非一時的なコンピュータ可読媒体は、ＡＳＩＣ内に存在し得る。ＡＳＩＣは、ＩｏＴデバイス内に存在し得る。代替として、プロセッサおよび非一時的なコンピュータ可読媒体は、ユーザ端末におけるディスクリート構成要素であり得る。
【００７０】
[0077]１つまたは複数の例示的な態様では、本明細書で説明された機能は、ハードウェア、ソフトウェア、ファームウェア、またはこれらの任意の組合せでインプリメントされ得る。ソフトウェアでインプリメントされる場合、機能は、非一時的なコンピュータ可読媒体上で、１つまたは複数の命令またはコードとして記憶または送信され得る。コンピュータ可読媒体は、１つの場所から別の場所へのコンピュータプログラムの転送を容易にし得る任意の非一時的な媒体を含む記憶媒体および／または通信媒体を含み得る。記憶媒体は、コンピュータによってアクセスされ得る任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用され得、かつコンピュータによってアクセスされ得るその他任意の媒体を備え得る。また、任意の接続は、厳密にはコンピュータ可読媒体と称される。例えば、ソフトウェアが、同軸ケーブル、光ファイバーケーブル、ツイストペア、ＤＳＬ、または赤外線、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で交換可能に使用され得るディスク（disk）およびディスク（disc）という用語は、ＣＤ、レーザーディスク（登録商標）、光ディスク、ＤＶＤ、フロッピー（登録商標）ディスク、およびブルーレイディスクを含み、これらは、通常、磁気的におよび／またはレーザーを用いて光学的にデータを再生する。上記の組合せもまた、コンピュータ可読媒体の範囲内に含まれるべきである。
【００７１】
[0078]前述の開示が例示的な態様および実施形態を示している一方で、当業者であれば、様々な変更および修正が、添付の特許請求の範囲によって定義される本開示の範囲から逸脱することなく、本明細書で行われ得ることを理解するであろう。さらに、本明細書で説明された様々な例示的な態様および実施形態によれば、当業者であれば、上記で説明された、および／または本明細書に添付された任意の方法の請求項において記載される任意の方法における機能、ステップ、および／またはアクションが、任意の特定の順序で実行される必要がないことを理解するであろう。またさらに、任意の要素が、単数形において上記で説明されているかまたは添付の特許請求の範囲で記載されているという点では、当業者であれば、（１つまたは複数の）単数形は、（１つまたは複数の）単数形への限定が明記されていない限り、複数形も企図することを理解するであろう。
【図１】
2021522714.tif 000003
【図２】
2021522714.tif 000004
【図３】
2021522714.tif 000005
【図４】
2021522714.tif 000006
【図５】
2021522714.tif 000007
【図６】
2021522714.tif 000008
【図７】
2021522714.tif 000009
【図８】
2021522714.tif 000010
【国際調査報告】
2021522714.tif 000011
2021522714.tif 000012
2021522714.tif 000013